(57)【特許請求の範囲】
【請求項１】
外部装置から供給された少なくとも個人を特定するデータを初期状態の個人認証カードに可視像として記録する記録手段と、
この記録手段により記録された個人を特定するデータを前記個人認証カードから読み取る読取手段と、
この読取手段による読取結果と前記外部装置から供給された個人を特定するデータとを比較し、両者が整合するか否かを判定する判定手段と、
この判定手段により両者が整合すると判定された際に、個人認証カードの作成が正常になされたものと判断し、前記判定手段により両者が整合しないと判定された際に、個人認証カードの作成中に異常が発生したものと判断する判断手段と、
を具備したことを特徴とする個人認証カード作成装置。
【請求項２】
外部装置から供給された少なくとも個人を特定するデータを初期状態の個人認証カードに可視像として記録する記録手段と、
この記録手段により記録された個人を特定するデータを前記個人認証カードから読み取る読取手段と、
この読取手段による読取結果と前記外部装置から供給された個人を特定するデータとを比較し、両者が整合するか否かを判定する判定手段と、
この判定手段により両者が整合すると判定された際に、個人認証カードの作成が正常になされたものと判断し、前記判定手段により両者が整合しないと判定された際に、個人認証カードの作成中に異常が発生したものと判断する判断手段と、
この判断手段による判断結果を出力する出力手段と、
を具備したことを特徴とする個人認証カード作成装置。
【請求項３】
外部装置から供給された少なくとも個人を特定するデータを初期状態の個人認証カードに可視像として記録する記録手段と、
この記録手段により記録された前記個人を特定するデータを個人認証カードから読み取る読取手段と、
この読取手段による読取結果と前記外部装置から供給された個人を特定するデータとを比較し、両者が整合するか否かを判定する判定手段と、
この判定手段により両者が整合すると判定された際に、前記記録手段による記録が正しくなされたものと判断し、前記判定手段により両者が整合しないと判定された際に、前記記録手段による記録が正しくなされなかったものと判断する判断手段と、
を具備したことを特徴とする個人認証カード作成装置。
【請求項４】
初期状態の個人認証カードを供給する供給手段と、
この供給手段により供給された個人認証カードを搬送する搬送手段と、
前記供給手段により前記個人認証カードが供給されると計時動作を開始する計時手段と、
外部装置から供給された少なくとも個人を特定するデータを前記搬送手段により搬送される個人認証カードに可視像として記録する記録手段と、
この記録手段よりも前記搬送手段の搬送方向の下流側において、前記搬送手段により搬送されてくる個人認証カードを検出する検出手段と、
この検出手段の検出結果と前記計時手段の計時結果とに基づき、前記搬送手段により搬送される個人認証カードが消失したか否かを判断する判断手段と、
を具備したことを特徴とする個人認証カード作成装置。
【請求項５】
初期状態の個人認証カードを供給する供給手段と、
この供給手段により供給された個人認証カードを搬送する搬送手段と、
前記供給手段により前記個人認証カードが供給されると計時動作を開始する計時手段と、
外部装置から供給された少なくとも個人を特定するデータを前記搬送手段により搬送される個人認証カードに可視像として記録する記録手段と、
この記録手段により記録された個人を特定するデータを前記個人認証カードから読み取る読取手段と、
この読取手段による読取結果と前記外部装置から供給された個人を特定するデータとを比較し、両者が整合するか否かを判定する判定手段と、
この判定手段により両者が整合すると判定された際に、個人認証カードの作成が正常になされたものと判断し、前記判定手段により両者が整合しないと判定された際に、個人認証カードの作成中に異常が発生したものと判断する第１の判断手段と、
前記記録手段よりも前記搬送手段の搬送方向の下流側において、前記搬送手段により搬送されてくる個人認証カードを検出する検出手段と、
この検出手段の検出結果と前記計時手段の計時結果とに基づき、前記搬送手段により搬送される個人認証カードが消失したか否かを判断する第２の判断手段と、
を具備したことを特徴とする個人認証カード作成装置。
【請求項６】
外部装置から供給された少なくとも個人を特定するデータを記憶する記憶手段と、
この記憶手段により記憶された個人を特定するデータを前記個人認証カードに可視像として記録する記録手段と、
この記録手段により記録された個人を特定するデータを個人認証カードから読み取る読取手段と、
この読取手段による読取結果と前記記憶手段により記憶された個人を特定するデータとを比較し、両者が整合するか否かを判定する判定手段と、
この判定手段により両者が整合すると判定された際に、個人認証カードの作成が正常になされたものと判断し、前記判定手段により両者が整合しないと判定された際に、個人認証カードの作成中に異常が発生したものと判断する第１の判断手段と、
前記判定手段による判定の際、先に前記記憶手段により記憶された個人を特定するデータが存在しなかった際に前記外部装置から供給された個人を特定するデータが消失したものと判断する第２の判断手段と、
を具備したことを特徴とする個人認証カード作成装置。
【請求項７】
外部装置から供給された少なくとも個人を特定するデータを記憶する記憶手段と、
初期状態の個人認証カードを供給する供給手段と、
この供給手段により供給された個人認証カードを搬送する搬送手段と、
前記供給手段により前記搬送手段へ前記個人認証カードが供給されると計時動作を開始する計時手段と、
前記記憶手段により記憶された個人を特定するデータを前記搬送手段により搬送される個人認証カードに可視像として記録する記録手段と、
この記録手段よりも前記搬送手段の搬送方向の下流側において、前記搬送手段により搬送されてくる個人認証カードを検出する検出手段と、
この検出手段の検出結果と前記計時手段の計時結果とに基づき、前記搬送手段により搬送される個人認証カードが消失したか否かを判断する第１の判断手段と、
前記記録手段により記録された個人を特定するデータを前記個人認証カードから読み取る読取手段と、
この読取手段による読取結果と前記記憶手段により記憶された個人を特定するデータとを比較し、両者が整合するか否かを判定する判定手段と、
この判定手段により両者が整合すると判定された際に、個人認証カードの作成が正常になされたものと判断し、前記判定手段により両者が整合しないと判定された際に、個人認証カードの作成中に異常が発生したものと判断する第２の判断手段と、
前記判定手段による判定の際、先に前記記憶手段により記憶された個人を特定するデータが存在しなかった際に前記外部装置から供給された個人を特定するデータが消失したものと判断する第３の判断手段と、
を具備したことを特徴とする個人認証カード作成装置。
【発明の詳細な説明】
【０００１】
【発明の属する技術分野】
この発明は、例えば、運転免許証等の個人認証カードを作成する個人認証カード作成装置に関する。
【０００２】
【従来の技術】
従来、例えば、学生証、社員証、運転免許証などの個人認証カード（以下、ＩＤカードとする）を作成する個人認証カード作成装置（以下、ＩＤカード作成装置とする）において、外部装置から供給された顔画像データなどの画像情報、及び氏名やＩＤ番号等の文字情報としてのパーソナルデータを印刷（記録）する一連の工程を経て作成されたＩＤカードは、スタッカ部に複数枚集積されたのち、あるいは作成されるたびに取り出され、外部装置から供給された顔画像データおよびパーソナルデータを基に印刷されたＩＤカード上の記載情報（印刷された顔画像データおよびパーソナルデータ）に誤りや欠損がないかを確認されたのち発行される。
【０００３】
しかし、作成されたＩＤカードにおいて、例えば氏名やＩＤ番号等の文字、顔画像が装置の不具合で、欠損や欠落していたり、氏名とＩＤ番号が一致していなかったりする不具合が発生することがある。
【０００４】
このようなＩＤカードの発行を防ぐためにＩＤカードの作成後に、外部装置において入力され外部装置から供給された顔画像データおよびパーソナルデータと、この顔画像データおよびパーソナルデータを基に印刷されたＩＤカード上の記載情報とを見比べ、人の目で１枚ずつＩＤカードの内容を確認する確認作業が必要であり、作業の負担となっている。
【０００５】
また、ＩＤカード作成装置内において、外部装置から供給された顔画像データやパーソナルデータあるいは作成したＩＤカードが消失する場合があり、このような場合、どの顔画像データおよびパーソナルデータに対してＩＤカードが作成され、どの顔画像データ、パーソナルデータあるいはＩＤカードが消失したのかをＩＤカード作成後に、作成したＩＤカードの一枚一枚を供給された顔画像データおよびパーソナルデータと照らし合わせて確認する確認作業が必要であり、作業の負担となっている。
【０００６】
【発明が解決しようとする課題】
この発明は、上述した欠点を除去するもので、外部装置から供給された個人を特定するデータが個人認証カード上に正しく記録されたかを確認する確認作業を省略でき、また、個人認証カード作成装置内で、外部装置から供給された個人を特定するデータや作成した個人認証カードが消失した場合に、どの個人認証カードあるいは外部装置から供給された個人を特定するデータが消失したかを確認する確認作業を省略できる個人認証カード作成装置を提供することを目的とする。
【０００７】
【課題を解決するための手段】
この発明の個人認証カード作成装置は、外部装置から供給された少なくとも個人を特定するデータを初期状態の個人認証カードに可視像として記録する記録手段と、この記録手段により記録された個人を特定するデータを前記個人認証カードから読み取る読取手段と、この読取手段による読取結果と前記外部装置から供給された個人を特定するデータとを比較し、両者が整合するか否かを判定する判定手段と、この判定手段により両者が整合すると判定された際に、個人認証カードの作成が正常になされたものと判断し、前記判定手段により両者が整合しないと判定された際に、個人認証カードの作成中に異常が発生したものと判断する判断手段とを具備している。
【０００８】
この発明の個人認証カード作成装置は、外部装置から供給された少なくとも個人を特定するデータを初期状態の個人認証カードに可視像として記録する記録手段と、この記録手段により記録された個人を特定するデータを前記個人認証カードから読み取る読取手段と、この読取手段による読取結果と前記外部装置から供給された個人を特定するデータとを比較し、両者が整合するか否かを判定する判定手段と、この判定手段により両者が整合すると判定された際に、個人認証カードの作成が正常になされたものと判断し、前記判定手段により両者が整合しないと判定された際に、個人認証カードの作成中に異常が発生したものと判断する判断手段と、この判断手段による判断結果を出力する出力手段とを具備している。
【０００９】
この発明の個人認証カード作成装置は、外部装置から供給された少なくとも個人を特定するデータを初期状態の個人認証カードに可視像として記録する記録手段と、この記録手段により記録された前記個人を特定するデータを個人認証カードから読み取る読取手段と、この読取手段による読取結果と前記外部装置から供給された個人を特定するデータとを比較し、両者が整合するか否かを判定する判定手段と、この判定手段により両者が整合すると判定された際に、前記記録手段による記録が正しくなされたものと判断し、前記判定手段により両者が整合しないと判定された際に、前記記録手段による記録が正しくなされなかったものと判断する判断手段とを具備している。
【００１０】
この発明の個人認証カード作成装置は、初期状態の個人認証カードを供給する供給手段と、この供給手段により供給された個人認証カードを搬送する搬送手段と、前記供給手段により前記個人認証カードが供給されると計時動作を開始する計時手段と、外部装置から供給された少なくとも個人を特定するデータを前記搬送手段により搬送される個人認証カードに可視像として記録する記録手段と、この記録手段よりも前記搬送手段の搬送方向の下流側において、前記搬送手段により搬送されてくる個人認証カードを検出する検出手段と、この検出手段の検出結果と前記計時手段の計時結果とに基づき、前記搬送手段により搬送される個人認証カードが消失したか否かを判断する判断手段とを具備している。
【００１１】
この発明の個人認証カード作成装置は、初期状態の個人認証カードを供給する供給手段と、この供給手段により供給された個人認証カードを搬送する搬送手段と、前記供給手段により前記個人認証カードが供給されると計時動作を開始する計時手段と、外部装置から供給された少なくとも個人を特定するデータを前記搬送手段により搬送される個人認証カードに可視像として記録する記録手段と、この記録手段により記録された個人を特定するデータを前記個人認証カードから読み取る読取手段と、この読取手段による読取結果と前記外部装置から供給された個人を特定するデータとを比較し、両者が整合するか否かを判定する判定手段と、この判定手段により両者が整合すると判定された際に、個人認証カードの作成が正常になされたものと判断し、前記判定手段により両者が整合しないと判定された際に、個人認証カードの作成中に異常が発生したものと判断する第１の判断手段と、前記記録手段よりも前記搬送手段の搬送方向の下流側において、前記搬送手段により搬送されてくる個人認証カードを検出する検出手段と、この検出手段の検出結果と前記計時手段の計時結果とに基づき、前記搬送手段により搬送される個人認証カードが消失したか否かを判断する第２の判断手段とを具備している。
【００１２】
この発明の個人認証カード作成装置は、外部装置から供給された少なくとも個人を特定するデータを記憶する記憶手段と、この記憶手段により記憶された個人を特定するデータを前記個人認証カードに可視像として記録する記録手段と、この記録手段により記録された個人を特定するデータを個人認証カードから読み取る読取手段と、この読取手段による読取結果と前記記憶手段により記憶された個人を特定するデータとを比較し、両者が整合するか否かを判定する判定手段と、この判定手段により両者が整合すると判定された際に、個人認証カードの作成が正常になされたものと判断し、前記判定手段により両者が整合しないと判定された際に、個人認証カードの作成中に異常が発生したものと判断する第１の判断手段と、前記判定手段による判定の際、先に前記記憶手段により記憶された個人を特定するデータが存在しなかった際に前記外部装置から供給された個人を特定するデータが消失したものと判断する第２の判断手段とを具備している。
【００１３】
この発明の個人認証カード作成装置は、外部装置から供給された少なくとも個人を特定するデータを記憶する記憶手段と、初期状態の個人認証カードを供給する供給手段と、この供給手段により供給された個人認証カードを搬送する搬送手段と、前記供給手段により前記搬送手段へ前記個人認証カードが供給されると計時動作を開始する計時手段と、前記記憶手段により記憶された個人を特定するデータを前記搬送手段により搬送される個人認証カードに可視像として記録する記録手段と、この記録手段よりも前記搬送手段の搬送方向の下流側において、前記搬送手段により搬送されてくる個人認証カードを検出する検出手段と、この検出手段の検出結果と前記計時手段の計時結果とに基づき、前記搬送手段により搬送される個人認証カードが消失したか否かを判断する第１の判断手段と、前記記録手段により記録された個人を特定するデータを前記個人認証カードから読み取る読取手段と、この読取手段による読取結果と前記記憶手段により記憶された個人を特定するデータとを比較し、両者が整合するか否かを判定する判定手段と、この判定手段により両者が整合すると判定された際に、個人認証カードの作成が正常になされたものと判断し、前記判定手段により両者が整合しないと判定された際に、個人認証カードの作成中に異常が発生したものと判断する第２の判断手段と、前記判定手段による判定の際、先に前記記憶手段により記憶された個人を特定するデータが存在しなかった際に前記外部装置から供給された個人を特定するデータが消失したものと判断する第３の判断手段とを具備している。
【００１４】
【発明の実施の形態】
以下、図面を参照して、この発明の実施形態に係る個人認証カード作成装置（以下、ＩＤカード作成装置とする）を説明する。
【００１５】
図１は、この発明の実施の形態に係るＩＤカード作成装置等により構成されるＩＤカード作成システムの全体を示している。
【００１６】
すなわち、ＩＤカード作成システムは、申請者の氏名、個人認証情報としてのＩＤ番号等からなるパーソナルデータを入力すると共に、カメラ等により撮影されたＩＤカード申請者の顔画像データをＩＤ番号に基づいて入力する外部装置としてのデータ入力装置１と、このデータ入力装置１から供給された個人を特定するデータとしてのパーソナルデータ及び顔画像データを初期状態の個人認証カード（以下、ＩＤカードとする）上に印刷記録してＩＤカードを発行するＩＤカード作成装置２と、このＩＤカード作成装置２の状態やその他操作者に必要な各種情報を表示するためのＣＲＴ表示器からなる出力手段としての情報表示装置３と、これら各装置を接続するＬＡＮ（あるいは公衆回線）４などにより構成されている。
【００１７】
なお、図１では、ＩＤカード作成装置２と情報表示装置３は、別体の装置としているが、ＩＤカード作成装置２が情報表示装置３を内蔵するものとしても良い。
【００１８】
図２は、ＩＤカード作成装置２の内部構成を概略的に示すものである。
【００１９】
すなわち、ＩＤカード作成装置２の一端部には、作成処理（後述する印刷処理及びコーティング処理）を施す前の初期状態のＩＤカードＣを複数枚集積しカード作成工程（作成処理の工程）へ供給する供給手段としてのカード供給部５が設けられ、他端部には、作成処理が施されたＩＤカードＣを集積するカード集積部６が設けられている。
【００２０】
上記カード供給部５下部にはカード取出ローラ５ａが設けられ、このカード取出ローラ５ａによりカード供給部５に集積された初期状態のＩＤカードＣが一枚ずつカード供給部５の下部から取り出されるようになっている。
【００２１】
カード供給部５とカード集積部６との間には、上記カード取出ローラ５ａによりカード供給部５から取り出されたＩＤカードＣをカード集積部６へ搬送する搬送手段としてのカード搬送路７が設けられている。このカード搬送路７には、搬送ローラ８ａ、…、８ｈが設けられ、ＩＤカードＣが搬送ローラ８ａ、…、８ｈにより図１の右から左へ搬送されるようになっている。
【００２２】
カード搬送路７上には、その搬送方向に沿って、外部装置としてのデータ入力装置１から供給された顔画像データやパーソナルデータを初期状態のＩＤカードＣ上に可視像として印刷記録する記録手段としての、例えば、ドットプリンタ、感熱式プリンタ、放電式プリンタ、写真式プリンタなどからなる印刷部９、この印刷部９によりＩＤカード上に印刷された顔画像データ及びパーソナルデータ（以下、ＩＤカードＣ上に印刷された顔画像データ及びパーソナルデータを記載情報とする）を保護するためにＩＤカードＣの表面に保護膜を形成するコーティング処理を行うカード表面処理部１０、印刷部９によりＩＤカード上に印刷された記載情報を読み取る読取手段としての情報読取部１１が、この順番で順次設けられている。
【００２３】
上記印刷部９の搬送方向の下流側で、かつ上記情報読取部１１の搬送方向の上流側には、搬送されるＩＤカードＣの位置を光学的に検出するためのカード位置検出部１２が設けられている。このカード位置検出部１２の検出結果に基づき、上記情報読取部１１によるＩＤカード上の記載情報の読取がなされるようになっている。
【００２４】
上記情報読取部１１は、たとえばＩＤカードＣ上に光を照射する光源、および、ＩＤカードＣ上からの反射光を電気信号に変換するＣＣＤ型イメージセンサなどから構成されている。
【００２５】
図３は、上記のように構成されたＩＤカード作成装置２の制御系統の概略構成を示すものである。すなわち、ＩＤカード作成装置２には、装置全体の制御を司るＣＰＵ（セントラル・プロセッシング・ユニット）２１が設けられている。このＣＰＵ２１には、上記ＬＡＮ４と接続される通信用のインターフェース２２と、このインターフェース２２を介して上記データ入力装置１から送信された顔画像データとパーソナルデータ、印刷処理がなされたＩＤカードＣから上記情報読取部１１により読み取った記載情報、及び上記ＣＰＵ２１の制御プログラムなどを記憶する記憶手段としてのメモリ２３と、上記カード取出ローラ５ａを駆動するカード取出用モータ２４を駆動制御するドライバ２５と、上記搬送ローラ８ａ、…、８ｈを駆動する搬送用モータ２６を駆動制御するドライバ２７と、上記印刷部９と、上記カード表面処理部１０と、上記情報読取部１１と、上記カード位置検出部１２とが接続される。
【００２６】
次に、上記のように構成されたＩＤカード作成装置２によるＩＤカードの作成処理について図４に示すフローチャートを参照しつつ説明する。
【００２７】
まず、ＣＰＵ２１は、データ入力装置１からＬＡＮ４を介して送信された顔画像データ及びパーソナルデータを受信した際、受信した顔画像データ及びパーソナルデータをメモリ２３に記憶する（ＳＴ１）。
【００２８】
次いで、ＣＰＵ２１は、カード供給部１に集積された供給用のＩＤカードＣ群のうち一枚をカード取出ローラ５ａによって取出し（ＳＴ２）、このＩＤカードＣの取出し時に、計時手段としての図示しない計時カウンタの計時動作を開始する（ＳＴ３）。
【００２９】
また、ＣＰＵ２１は、取出されたＩＤカードＣを搬送ローラ８ａ、…、８ｈによってカード搬送路７に沿って搬送する（ＳＴ４）。
【００３０】
これにより、ＩＤカードＣが印刷部９に搬送された際、印刷部９はＣＰＵ２１の制御によりメモリ２３から供給される顔画像データ及びパーソナルデータをＩＤカードＣの所定位置にそれぞれ印刷し、次いで、ＩＤカードＣがカード表面処理部１０に搬送された際、カード表面処理部１０は、ＩＤカードＣの表面に印刷保護のためのコーティングを行う（ＳＴ５）。
【００３１】
そして、上記一連の作成工程（印刷処理の工程、コーティング処理の工程）を経たＩＤカードＣは、情報読取部１１へと搬送される。この時、ＣＯＵ２１は、カード位置検出部１２の検出結果と計時カウンタの計時結果とに基づき、搬送中にＩＤカードＣが消失したか否かを判断する。
【００３２】
すなわち、カード位置検出部１２によってＩＤカードＣが検出されず（ＳＴ６）、しかも、ＣＰＵ２１が上記計時カウンタの計時時間があらかじめ設定される所定時間を経過したことを判断した際（ＳＴ７）、ＣＰＵ２１は、ＩＤカードＣが消失したものと判断し、情報表示装置３を用いて図６（ａ）に示すように、ＩＤカードＣの消失の案内表示とこのＩＤカードＣに対応するパーソナルデータを表示する（ＳＴ８）。図６（ａ）の例では、「ＩＤカードの消失」のメッセージとこのＩＤカードＣに対応するパーソナルデータ「○○××」が表示される。
【００３３】
一方、ＩＤカードＣがカード位置検出部１２を通過することにより、ＣＰＵ２１がカード位置検出部１２によるＩＤカードＣの検出を判断した際（ＳＴ６）、カード位置検出部１２により検出したＩＤカードＣの位置から、ＩＤカードＣ上の記載情報の位置が情報読取部１１の読取エリアに搬送されるタイミングを計算し、このタイミングに基づき情報読取部１１を用いて搬送されてくるＩＤカードＣの記載情報の読み取りを開始する（ＳＴ９）。
【００３４】
ＣＰＵ２１は、ＩＤカードＣ上に印刷された記載情報の読み取りを完了した際、読み取った記載情報とメモリ２３に記憶された顔画像データ及びパーソナルデータとを比較し、正常に印刷されたか、印刷に誤りがあるか、データ入力装置１から供給された顔画像データあるいはパーソナルデータが消失したかを判断する（ＳＴ１０）。
【００３５】
なお、上記ステップ１０において、ＣＰＵ２１が、読み取った顔画像データとメモリ２３に記憶された顔画像データとを比較する際は、それぞれの顔画像データの画素パターンに基づいて比較する。
【００３６】
例えば、メモリ２３に記憶された顔画像データの画素パターン（一部のみ図示）が図５（ａ）に示すものであった際に、読み取った顔画像データの画素パターンが図５（ｂ）に示すものであった場合には、ＣＰＵ２１は、画素パターンが類似しているので正常に印刷されたものと判断し、一方、読み取った顔画像データの画素パターンが図５（ｃ）に示すものであった場合には、ＣＰＵ２１は、画素パターンが類似していないので印刷に誤りがあるものと判断する。
【００３７】
上記ステップ１０の判断の結果、読み取った記載情報と、メモリ２３に記憶された顔画像データ及びパーソナルデータとが整合し（読み取った記載情報と、メモリ２３に記憶された顔画像データ及びパーソナルデータとの間で所定の関係が成立し）、ＣＰＵ２１が、ＩＤカード上にデータ入力装置１から供給された顔画像データ及びパーソナルデータが正常に印刷されたものと判断した際、情報表示装置３を用いて、図６（ｂ）に示すように、パーソナルデータと読み取った記載情報（文字情報のみ）を表示する（ＳＴ１１）。図６（ｂ）の例では、パーソナルデータ「○○××」、読み取った記載情報（文字情報のみ）「○○××」が表示される。
【００３８】
上記ステップ１０の判断の結果、読み取った記載情報と、メモリ２３に記憶された顔画像データあるいはパーソナルデータとが整合せず、ＣＰＵ２１がＩＤカードＣ上にメモリ２３に記憶された顔画像データあるいはパーソナルデータが欠損、欠落等により印刷に誤りがあるものと判断した際、情報表示装置３を用いて、図６（ｃ）に示すように、印刷に誤りがある旨の案内を表示すると共に、読み取った記載情報（文字情報のみ）及びパーソナルデータを表示する（ＳＴ１２）。図６（ｃ）の例では、「印刷に誤りあり」のメッセージと、パーソナルデータ「○○××」、対応する読み取った記載情報（文字情報のみ）「○  ××」が表示される。
【００３９】
上記ステップ１０の判断の結果、メモリ２３内に顔画像データあるいはパーソナルデータが存在せず、データが消失したものと判断した際、情報表示装置３を用いて、図６（ｄ）に示すように、データ消失の案内を表示すると共に、対応する読み取った記載情報（文字情報のみ）を表示する（ＳＴ１３）。図６（ｄ）の例では、「データの消失」のメッセージと、この消失したデータに対応する読み取った記載情報（文字情報のみ）「○○××」が表示される。
【００４０】
こうして、読取が完了したＩＤカードＣは、カード集積部１１に搬送され、集積されたＩＤカードＣ群の上に集積される。
【００４１】
上記したように、ＩＤカード作成装置内の印刷部の搬送方向下流側に情報読取部を設け、この情報読取部によりＩＤカード上に印刷した顔画像データとパーソナルデータを読み取り、外部装置から供給された顔画像データと読み取った顔画像データ、及び外部装置から供給されたパーソナルデータと読み取ったパーソナルデータとを比較し、両者が整合しなかった場合、印刷に誤りがある旨の案内を表示すると共に、読み取ったパーソナルデータ及び外部装置から供給されたパーソナルデータを表示し、両者が整合した場合、読み取ったパーソナルデータ及び外部装置から供給されたパーソナルデータを表示するようにしたものである。
【００４２】
これにより、外部装置から供給されたデータに対して、どのデータがＩＤカードとして作成されたのかを随時装置白身で認識することが可能となりＩＤカードの印刷に誤りがないか、読み取れない文字の欠損、欠落等がないかの確認が自動的にでき、作業者の負担を軽減できる。
【００４３】
また、上記したようにＩＤカードを取り出してから所定時間内にカード位置検出部によりＩＤカードの検出がなされなかった際、ＩＤカードが消失したものと判断し、情報表示装置にＩＤカードの消失の案内とこのＩＤカードに対応するパーソナルデータとを表示するようにしたものである。さらに、情報読取部によりＩＤカードに印刷された記載情報を読み取った際、メモリ内に対応するパーソナルデータあるは顔画像データが存在せず、データが消失したものと判断した際、情報表示装置にデータ消失の案内とこのデータに対応する読み取った記載情報を表示するようにしたものである。
【００４４】
これにより、装置内で外部装置から供給された顔画像データやパーソナルデータ、あるいはＩＤカードが消失したか否かを確認できる。さらに、実際に顔画像データやパーソナルデータあるいはＩＤカードが消失している場合にも、どの顔画像データ、パーソナルデータ、ＩＤカードが消失しているのかを装置側が認識でき、操作者に対し、ＣＲＴ画面などの表示装置を介して知らせることができ、作業者の負担を軽減できる。
【００４５】
なお、ＩＤカード上に記録するデータは、個人を特定するデータのみに限らず、その他、ＩＤカードとして必要なデータ（たとえば、発行会社名やマークなど）をも記録する場合が有り、このような場合にも適用可能である。
【００４６】
なお、上記実施の形態では、異常が検出された場合（ＩＤカードが消失した場合、印刷に誤りがあった場合、データ入力装置から供給されたデータが消失した場合）は、操作者（オペレータ）に対し、ＣＲＴ表示器からなる情報表示装置３を用いた案内表示により知らせるものとしているが、上記情報表示装置３は、液晶表示器からなるものとしてもよく、また、異常が検出された場合、ＬＥＤの点灯によって操作者に対して知らせるようにしても良い。
【００４７】
【発明の効果】
以上詳述したように、この発明によれば、外部装置から供給された個人を特定するデータが個人認証カード上に正しく記録されたかを確認する確認作業を省略でき、また、個人認証カード作成装置内で、外部装置から供給された個人を特定するデータや作成した個人認証カードが消失した場合に、どの個人認証カードあるいは外部装置から供給された個人を特定するデータが消失したかを確認する確認作業を省略できる個人認証カード作成装置を提供できる。
【図面の簡単な説明】
【図１】この発明の実施の形態のＩＤカード作成装置により構成されるＩＤカード作成システムの概略構成を示すブロック図。
【図２】ＩＤカード作成装置の内部機構を模式的に示す構成図。
【図３】ＩＤカード作成装置の概略構成を示すブロック図。
【図４】ＩＤカードの作成処理を説明するためのフローチャート。
【図５】顔画像データの画素パターンの例を示す図。
【図６】情報表示装置の表示例を示す図。
【符号の説明】
１…データ入力装置（外部装置）
２…ＩＤカード作成装置
３…情報表示装置（出力手段）
５…カード供給部（供給手段）
５ａ…カード取出ローラ（供給手段）
９…印刷部（記録手段）
１１…情報読取部（読取手段）
１２…カード位置検出部（検出手段）
２１…ＣＰＵ
２３…メモリ（記憶手段）
【図１】
0004495811.tif 000002
【図２】
0004495811.tif 000003
【図３】
0004495811.tif 000004
【図４】
0004495811.tif 000005
【図５】
0004495811.tif 000006
【図６】
0004495811.tif 000007